(57)【要約】  本発明は、受信した信号の対応するアップリンクチャネルの検出結果を得るために移動端末から受信した前記信号を検出するステップ、アップリンクチャネルの前記検出結果に基づいて対応するアップリンクバースト中のトレーニングシーケンスの長さ基準を決定するステップ、前記対応するアップリンクバースト中のトレーニングシーケンスの前記長さ基準に基づいて、予め定められたアップリンクタイムスロットを前記移動端末に割り当てるステップ、及び前記移動端末に前記アップリンクバースト中のトレーニングシーケンスの前記長さ基準及び前記アップリンクタイムスロットを通知するステップを有する無線通信システムのための通信方法を開示する。
2008529387.tif 000002
【特許請求の範囲】
【請求項１】
（ａ）受信信号の対応するアップリンクチャネルの検出結果を得るために移動端末からの前記受信信号を検出するステップ、
（ｂ）アップリンクチャネルの前記検出結果に基づいて対応するアップリンクバースト中のトレーニングシーケンスの長さ基準を決定するステップ、
（ｃ）対応するアップリンクバースト中のトレーニングシーケンスの前記長さ基準に基づいて、予め定められたアップリンクタイムスロットを前記移動端末に割り当てるステップ、及び
（ｄ）前記移動端末にアップリンクバースト中のトレーニングシーケンスの前記長さ基準及び前記アップリンクタイムスロットを通知するステップ
を有する無線通信システムのための通信方法。
【請求項２】
前記長さ基準がトレーニングシーケンスの長さを含む請求項１に記載の通信方法。
【請求項３】
前記長さ基準が、前記トレーニングシーケンスの前記長さが連続して使用されるタイムインターバルを更に含む請求項２に記載の通信方法。
【請求項４】
同一の長さ基準中のトレーニングシーケンスの長さが同一である請求項２に記載の通信方法。
【請求項５】
トレーニングシーケンスの前記長さが０である請求項２に記載の通信方法。
【請求項６】
前記検出結果に基づいて、前記無線通信システム中のトレーニングシーケンスの長さが０である移動端末の数を変更するステップを更に有する請求項５に記載の通信方法。
【請求項７】
全ての通信バーストが、前記予め定められたアップリンクタイムスロット中で、トレーニングシーケンスの同一の長さ基準を有する請求項２に記載の通信方法。
【請求項８】
アップリンクチャネルの検出がSIR, SNR又はSNIRを含む請求項１に記載の通信方法。
【請求項９】
前記無線通信システムがCDMA移動通信システムである請求項１に記載の通信方法。
【請求項１０】
受信信号の対応するアップリンクチャネルの検出結果を得るために移動端末からの前記受信信号を検出するネットワーク側測定手段、
アップリンクチャネルの前記検出結果に基づいて前記アップリンクバースト中のトレーニングシーケンスの長さ基準を決定し、前記アップリンクバースト中のトレーニングシーケンスの前記長さ基準に基づいて、予め定められたアップリンクタイムスロットを前記移動端末に割り当てるネットワーク側決定手段、及び
前記移動端末に前記アップリンクバースト中のトレーニングシーケンスの前記長さ基準及び前記アップリンクタイムスロットを通知する送信手段
を有する無線通信システムのためのネットワーク側装置。
【請求項１１】
前記長さ基準がトレーニングシーケンスの長さを含む請求項１０に記載のネットワーク側装置。
【請求項１２】
前記長さ基準が、前記トレーニングシーケンスの前記長さが連続して使用されるタイムインターバルを更に含む請求項１１に記載のネットワーク側装置。
【請求項１３】
同一の長さ基準中のトレーニングシーケンスの長さが同一である請求項１１に記載のネットワーク側装置。
【請求項１４】
トレーニングシーケンスの前記長さが０である請求項１１に記載のネットワーク側装置。
【請求項１５】
さらに、前記検出結果に基づいて、前記無線通信システム中のトレーニングシーケンスの長さが０である移動端末の数を変更する請求項１４に記載のネットワーク側装置。
【請求項１６】
全ての通信バーストが、前記予め定められたアップリンクタイムスロット中で、トレーニングシーケンスの同一の長さ基準を有する請求項１１に記載のネットワーク側装置。
【請求項１７】
（ａ）移動端末からのダウンリンクチャネル検出報告に基づいて、対応するダウンリンクバースト中のトレーニングシーケンスの長さ基準を決定するステップ、
（ｂ）前記ダウンリンクバースト中のトレーニングシーケンスの長さ基準に基づいて、予め定められたダウンリンクタイムスロットを前記移動端末に割り当てるステップ、及び
（ｃ）前記ダウンリンクバースト中のトレーニングシーケンスの長さ基準及び前記ダウンリンクタイムスロットを前記移動端末に通知するステップ
を有する無線通信システムのための通信方法。
【請求項１８】
前記長さ基準がトレーニングシーケンスの長さを含む請求項１７に記載の通信方法。
【請求項１９】
前記長さ基準が、前記トレーニングシーケンスの前記長さが連続して使用されるタイムインターバルを更に含む請求項１８に記載の通信方法。
【請求項２０】
同一の長さ基準中のトレーニングシーケンスの長さが同一である請求項１８に記載の通信方法。
【請求項２１】
トレーニングシーケンスの前記長さが０である請求項１８に記載の通信方法。
【請求項２２】
前記検出結果に基づいて、前記無線通信システム中のトレーニングシーケンスの長さが０である移動端末の数を変更するステップを更に有する請求項２１に記載の通信方法。
【請求項２３】
全ての通信バーストが、前記予め定められたダウンリンクタイムスロット中で、トレーニングシーケンスの同一の長さ基準を有する請求項１８に記載の通信方法。
【請求項２４】
ダウンリンクチャネル検出報告を移動端末から受信するステップを更に有する請求項１７に記載の通信方法。
【請求項２５】
移動端末からのダウンリンクチャネル検出報告に基づいて、対応するダウンリンクバースト中のトレーニングシーケンスの長さ基準を決定し、前記ダウンリンクバースト中のトレーニングシーケンスの長さ基準に基づいて、予め定められたダウンリンクタイムスロットを前記移動端末に割り当てるネットワーク側決定手段、及び
前記ダウンリンクバースト中のトレーニングシーケンスの長さ基準及び前記ダウンリンクタイムスロットを前記移動端末に通知する送信手段
を有する無線通信システムのためのネットワーク側装置。
【請求項２６】
ダウンリンクチャネル検出報告を移動端末から受信する受信手段を更に有する請求項２５に記載のネットワーク側装置。
【請求項２７】
バースト中のトレーニングシーケンスの長さ基準とタイムスロットの割り当てとを含む通知をネットワーク側装置から受信する受信手段、及び
受信した前記通知中のバースト中のトレーニングシーケンスの前記長さ基準及びタイムスロットの前記割り当てに基づいてバーストを受信又は送信する調整手段
を有する無線通信システムのための移動端末。
【請求項２８】
ダウンリンクチャネル検出報告を得るためのダウンリンクチャネルを検出する検出手段、及び前記検出報告をネットワーク側装置に送信する送信手段を更に有する請求項２７に記載の移動端末。
【発明の詳細な説明】
【技術分野】
【０００１】
本発明は、無線通信システムに関し、特にトレーニングシーケンススキームを調整するための通信方法及び装置、並びに通信バーストにおける対応する資源割り当てスキームに関する。
【背景技術】
【０００２】
TDD CDMAシステムにおいて、ミッドアンブル（Midamble）（トレーニングシーケンス）はTDD CDMAシステムのバースト構造の重要な部分であり、チャネル推定のために用いられる。従来のシステムでは、ミッドアンブルはすべてのデータバースト中で送信される。ゆっくり変化する無線チャネル状態においては、頻繁なチャネル推定は必要ない。この場合、ミッドアンブルが高頻度で送信されるために（データバースト毎に一度）、少ないトラフィックデータしか収容することができない。FDDモード（例えば、WCDMAでは、特定のチャネルのチャネル推定は、各々のトラフィックTSの「パイロット」部分によって実行される）において、各々のトラフィックTSの「パイロット」部分は、TDDモード中のミッドアンブルのそれと同じ機能を有する。したがって、FDDモードのCDMAシステムは、同じ問題に直面する。
【０００３】
特許文献１は、トレーニングデータの削減によってデータレートを増加させるための方法及び装置を開示した。特許文献２は、可変長のトレーニングシーケンスを用いる無線システムを開示した。特許文献３は、時分割多重アクセス通信システム中のデータブロックの長さを調整する方法を開示した。特許文献４は、マルチレイヤ送信フォーマットの物理レイヤ上での可変長のバースト伝送を開示した。
【特許文献１】米国特許第６７２４８１５号明細書
【特許文献２】欧州特許出願公開第０６１５３５２号明細書
【特許文献３】米国特許第５６０６５８０号明細書
【特許文献４】国際公開第９７／１６０４６号
【発明の開示】
【発明が解決しようとする課題】
【０００４】
トレーニングシーケンスの長さの変更は干渉を引き起こす可能性がある。CDMAシステム中の異なるユーザは、異なるチャネルチップによって同じタイムスロットを用いるので、異なるユーザの通信バースト中のトレーニングシーケンスが異なる長さを使用する場合、複数のユーザ間のトレーニングシーケンスとトラフィックデータとの間に干渉が起こる。この問題は従来技術では解決されなかった。
【０００５】
したがって、従来技術の上述の問題を解決するために、新規な方法及び装置が必要とされている。
【課題を解決するための手段】
【０００６】
本発明の目的は、従来技術の上述した問題を解決し、トラフィックデータ容量を増強する新規な無線通信方法を提供し、そして、関連する問題をより良く解決することである。
【０００７】
本発明は無線通信システムのための通信方法を提供し、当該方法は、受信信号の対応するアップリンクチャネルの検出結果を得るために移動端末からの前記受信信号を検出するステップ、アップリンクチャネルの前記検出結果に基づいて対応するアップリンクバースト中のトレーニングシーケンスの長さ基準を決定するステップ、対応するアップリンクバースト中のトレーニングシーケンスの前記長さ基準に基づいて予め定められたアップリンクタイムスロットを前記移動端末に割り当てるステップ、及び前記アップリンクバースト中のトレーニングシーケンスの前記長さ基準及び前記アップリンクタイムスロットを前記移動端末に通知するステップを有する。
【０００８】
本発明はさらに、無線通信システムのためのネットワーク側装置を提供し、前記ネットワーク側装置は、受信信号の対応するアップリンクチャネルの検出結果を得るために移動端末からの前記受信信号を検出するネットワーク側測定手段、アップリンクチャネルの前記検出結果に基づいて対応するアップリンクバースト中のトレーニングシーケンスの長さ基準を決定し、対応するアップリンクバースト中のトレーニングシーケンスの前記長さ基準に基づいて予め定められたアップリンクタイムスロットを前記移動端末に割り当てるネットワーク側決定手段、及び前記アップリンクバースト中のトレーニングシーケンスの前記長さ基準及び前記アップリンクタイムスロットを前記移動端末に通知するための送信手段を有する。
【０００９】
本発明はさらに、無線通信システムのための通信方法を提供し、当該方法は、移動端末からのダウンリンクチャネル検出報告に基づいて対応するダウンリンクバースト中のトレーニングシーケンスの長さ基準を決定するステップ、前記ダウンリンクバースト中のトレーニングシーケンスの長さ基準に基づいて予め定められたダウンリンクタイムスロットを前記移動端末に割り当てるステップ、及び前記ダウンリンクバースト中のトレーニングシーケンスの前記長さ基準及び前記ダウンリンクタイムスロットを前記移動端末に通知するステップを有する。
【００１０】
本発明はさらに、無線通信システムのためのネットワーク側装置を提供し、前記ネットワーク側装置は、移動端末からのダウンリンクチャネル検出報告に基づいて対応するダウンリンクバースト中のトレーニングシーケンスの長さ基準を決定し、前記ダウンリンクバースト中のトレーニングシーケンスの長さ基準に基づいて予め定められたダウンリンクタイムスロットを前記移動端末に割り当てるネットワーク側決定手段、及び前記ダウンリンクバースト中のトレーニングシーケンスの前記長さ基準及び前記ダウンリンクタイムスロットを前記移動端末に通知するための送信手段を有する。
【００１１】
本発明はさらに、無線通信システムのための移動端末を提供し、前記移動端末は、バースト中のトレーニングシーケンスの長さ基準とタイムスロットの割り当てとを含む通知をネットワーク側装置から受信する受信手段、及びバースト中のトレーニングシーケンスの前記長さ基準及びタイムスロットの前記割り当てに基づいてトレーニングシーケンスを設定する調整手段を有する。
【００１２】
本発明によれば、データバースト中のトレーニングシーケンスの長さ基準はチャネル品質の変動に従って変更され、結果的に、節約された無線資源をより多くのトラフィックデータを伝送するために用いることができ、トラフィックデータ容量が増強される。本発明を適用すれば、タイムスロット割り当て方針はバースト中のトレーニングシーケンスの長さに従って調整されることができ、データバースト中のトレーニングシーケンスの長さ基準の変動によって引き起こされる干渉問題を解決する。
【００１３】
本発明の他の目的及び利点は、添付の図面を参照して、以下の説明及び特許請求の範囲からより明確になり理解される。添付の図面を参照して本発明の好ましい実施の形態に関する説明が以下になされる。図面中の同じ参照符号は、図面を通して同一又は対応する特徴または機能を示す。
【発明を実施するための最良の形態】
【００１４】
添付の図面を参照して、本発明の例示的な実施の形態に関する説明が以下になされる。
【００１５】
本発明の原理が以下に説明される。
【００１６】
アップリンクバーストに関しては、本発明の通信方法のうちの１つによれば、まず、受信信号の対応するアップリンクチャネルの検出結果を得るために、移動端末からの当該受信信号を検出する。次に、アップリンクチャネルの前記検出結果に基づいて、対応するアップリンクバースト中のトレーニングシーケンスの長さ基準を決定する。次に、対応するアップリンクバースト中のトレーニングシーケンスの前記長さ基準に基づいて、予め定められたアップリンクタイムスロットを前記移動端末に割り当てる。そして次に、アップリンクバースト中のトレーニングシーケンスの前記長さ基準及び前記アップリンクタイムスロットを前記移動端末に通知する。
【００１７】
ダウンリンクバーストに関しては、本発明の通信方法のうちの１つによれば、まず、移動端末からのダウンリンクチャネル検出報告に基づいて、対応するダウンリンクバースト中のトレーニングシーケンスの長さ基準を決定する。次に、前記ダウンリンクバースト中のトレーニングシーケンスの長さ基準に基づいて、予め定められたダウンリンクタイムスロットを前記移動端末に割り当てる。次に、対応するダウンリンクバースト中のトレーニングシーケンスの前記長さ基準及び前記ダウンリンクタイムスロットを前記移動端末に通知する。
【００１８】
本発明による通信方法の長さ基準はトレーニングシーケンスの長さを含み、トレーニングシーケンスの前記長さが連続して用いられるタイムインターバルも含むことができる。同じ長さ基準中のトレーニングシーケンスの長さは、同じであるか類似している。トレーニングシーケンスの長さは、ユーザ装置により送信又は受信される通信バースト中のトレーニングシーケンスの異なる長さ基準を得るために、チャネル品質の検出結果に従って通信のプロセスの間に変更されることができる。トレーニングシーケンスの長さがゼロでない場合には、同じタイムスロット中のトレーニングシーケンスの長さがゼロである移動端末の数はチャネル品質の検出結果に基づいて変更されることができる。チャネル検出は、SIR、SNR又はSNIRを含むことができる。
【００１９】
本発明による無線通信システムは、一例としてCDMA移動通信システムによって実行される。
【００２０】
以下の説明において、本発明の方法は、一例として、バースト中のミッドアンブル（すなわちトレーニングシーケンス）を用いることにより示される。
【００２１】
ミッドアンブルはTDD CDMAシステム中のバースト構造の重要な部分であり、チャネル推定のために用いられる。従来のシステムでは、ミッドアンブルはデータバースト毎に一回送信される。本発明によって提案される方法は、チャネル品質に基づいてミッドアンブルの長さ基準を調整することである。例えば、ミッドアンブルの長さは、L、0又は1/2Lになるように調整されることができる。長さ基準のコンセプトは、ある長さのトレーニングシーケンス（ミッドアンブル）が連続して用いられるタイムインターバルも含むことができる。例えば、いくつかの連続するサブフレームが、L、0又は1/2Lの長さを有するトレーニングシーケンスを用いる。一例として、二者択一的にL及び0の長さを有するトレーニングシーケンスを送信する場合に関して以下で説明する。例えば、チャネル品質が安定している場合、複数の連続するサブフレーム中のバーストに関しては、後続のサブフレーム中のバーストは前のバーストに基づいて得られるチャネル推定を用いることができる。したがって、複数のサブフレーム中のバーストにおいて、ユーザは間欠的にミッドアンブルを送信することができる。すなわち、１周期内のバーストのうちの１つの中のトレーニングシーケンスの長さはL（≠０）であり、他のサブフレームのバースト中のトレーニングシーケンスの長さはゼロである。本発明の開示において、トレーニングシーケンスの長さ又は先の例における周期は、検出結果に基づいてネットワークによって決定される。本発明はさらに、関係のスキームに関連する信号伝達手順を提供する。１つ以上のUEがミッドアンブルの異なる長さ基準を用いる場合、本発明によるスキームは、異なるタイムスロットをミッドアンブルの同じ長さ基準を有しているUEに割り当てることによってミッドアンブルと他のユーザデータとの間の干渉を防止することができる。
【００２２】
本出願の残りにおいて、TDDシステムに関する必要な情報を提供し我々の新しいアイデアを説明するために、TD-SCDMAを一例として取り上げる。実際、我々がここで説明するものは、必要ないくつかの変更の後、いかなる問題も伴わずに、HCR（7.68Mchip/s）の場合及び他のTDD CDMAシステムに対して一般化することができる。同様に、同じアイデアは、いくつかの必要な修正を経てFDDモードに拡張することができる。
【００２３】
TDD CDMA移動携帯電話システムにおいて、信号伝送は「無線フレーム」によって行われる。無線フレームは、情報を伝達するためにタイムスロット（TS）にさらに分割される。TD-SCDMAシステムにおいて、一つの無線フレームの長さは10msであり、5msの2つの同じサブフレームに分割される。各々のサブフレーム中に7つの通常のTS及び3つの特別なTSが全体として存在する。
【００２４】
図1は、TD-SCDMAのサブフレーム構造を示し、TS0及びTS1は、それぞれ常にダウンリンクTS及びアップリンクTSとして指定され、それぞれアップリンクバースト及びダウンリンクバーストのために用いられる。DwPTS（Downlink Pilot Time Slot：ダウンリンクパイロットタイムスロット）及びUpPTS（Uplink Pilot Time Slot：アップリンクパイロットタイムスロット）は、それぞれダウンリンク及びアップリンク同期に用いられる専用のダウンリンク及びアップリンクパイロットTSであり、GP（Guard Period）はガード期間である。
【００２５】
図2に示される各々のTS中には、3つのフィールド、すなわちデータ部分、ミッドアンブル、及び異なるTSを区別するためのGPがある。ミッドアンブル（m1, m2, m3, ・・・, mn： nはチップを単位としたミッドアンブルの長さ）はチャンネルステータスを推定するために用いられる。
【００２６】
チャネルステータスに適応するために、長さ基準におけるトレーニンシーケンスの長さをL又は０とする場合を利用してミッドアンブルの送信頻度を変更するという本発明の精神に関して以下に説明する。UE又はBS（基地局）がより良いチャネル品質を有する場合（例えばチャネル特性がゆっくりと変化する場合）、あらゆるデータバースト中にミッドアンブルを送信する必要はなく、ミッドアンブルの無い（ミッドアンブル長がゼロである）データバーストに対しては前のチャネル推定を用いることができる。しかしながら、この変更は、一連の信号伝達手順（例えばチャンネルステータス測定、並びにパラメータ変動の報告及び通知）に関連すべきである。ローカルなミッドアンブルと他のユーザデータとの間の干渉を除去するために、一つのTS中に同時にアクティブになるUEに関して、いくつかのスキームが本発明において提案される。次のセクションにおいて、これらのミッドアンブル長さ基準について全部の手順を説明する。
【００２７】
本発明のスキームを用いることによってミッドアンブルの送信頻度をどのように変更するかについて以下に説明する。
【００２８】
本発明の実施において、ミッドアンブルの送信頻度は、測定された無線リンク品質に従って変更される。測定された無線チャネル状態が良いか、又はチャネルがほとんど時間変動しない（チャネル特性がゆっくりと変化する）場合、ミッドアンブルの送信頻度を低くすることができ、節約された無線資源をより多くのトラフィックデータを伝送するために用いることができる。調整されたミッドアンブルの送信している頻度パラメータ（TS割り当てなど）は、測定された結果に従ってネットワーク中で計算され、ネットワークダウンリンク信号を通してUEに送信される。
【００２９】
上述のミッドアンブルの送信頻度は、トレーニングシーケンスの長さ基準の特定の手段である。ここで説明される具体的な実施の形態によれば、ミッドアンブルの送信頻度が変更され、いくつかのサブフレームはミッドアンブル（長さL）を送信し、いくつかのサブフレームはミッドアンブルを送信しない（ミッドアンブルの長さがゼロ）。ミッドアンブルの送信周期が変化すると言うこともできる。一つの周期中に、ミッドアンブルを有するサブフレームとミッドアンブルのないサブフレームがある。すなわち、一つの周期中において、いくつかのタイムインターバル中のミッドアンブルの長さが０でなく、いくつかのタイムインターバル中のミッドアンブルの長さは０である。
【００３０】
一例として測定された無線リンク品質に対するミッドアンブル（トレーニングシーケンス）の送信周期のシナリオを考えると、表1に記載されているように、異なる信号品質基準に適切な異なるミッドアンブルの送信周期を設定することができる。
【表１】
2008529387.tif 000003
【００３１】
同時に一つのTSを占有する複数のUEのために提案されるスキームに関して以下に説明する。
【００３２】
以下は、ミッドアンブルフィールドを変更する場合に新たに発生する問題である。
【００３３】
実のところ、多くの場合、移動端末はそれほど速く移動せず、及び／又はチャネル状態はそれほど頻繁に変化しない。従って、ミッドアンブルを頻繁に送信することは不要であり、ある意味では無線資源を無駄にする。一つのUEだけがTSを占有する場合には、提案されたミッドアンブルの仕組みは著しく無線資源を節約することができる。しかしながら、１つ以上のUEが同じTSを共有し、チャネル品質に従ってミッドアンブルの送信頻度を調整する場合、解決しなければならない2つの新しい問題がある。
【００３４】
第１の問題は、ミッドアンブルとトラフィックデータとの間のダウンリンク干渉である。
【００３５】
提案された仕組みに基づくと、ダウンリンクミッドアンブルの送信頻度は、送信環境に従って変更されなければならない。しかしながら、１つ以上のUEを有するスロットでは、ミッドアンブルがいくつかのUEに送信される一方で他のUEに送信されない場合、ミッドアンブルとトラフィックデータとの間の干渉が起こる。
【００３６】
第２の問題は、ミッドアンブルとトラフィックデータとの間のアップリンク干渉である。
【００３７】
ダウンリンクと同様に、いくつかのUEがミッドアンブルを送信する一方で他のUEがミッドアンブルを送信しない場合、１つ以上のUEを有するスロットの間にアップリンク干渉が起こる。
【００３８】
図3は、（DLとULの両方で）干渉がどのように起こるかについて示す。同一のスロット中、UE1とUE2がミッドアンブルを送信せず、UE3-UEnがミッドアンブルを送信すると仮定する。UE3-UEnのミッドアンブルとUE1の対応するデータ及びUE2の対応するデータとが互いに干渉することが分かる。この干渉の結果、受信機がUE1のデータ及びUE2のデータを復調できず、UE1のチャネルパラメータ及びUE2のチャネルパラメータを正しく推定できない可能性がある。
【００３９】
上記の問題を解決するために、いくつかの補助的な解決案が、１つのスロットを１つ以上のUEが占有する状況に狙いを定めて提案された。
【００４０】
一つのスキームは、バースト中の同一又は類似したミッドアンブル長（例えば、ミッドアンブル長が０）を有するUEに、特別なタイムスロットを割り当てることである。
【００４１】
アップリンクバーストに関しては、まず、受信信号の対応するアップリンクチャネルの検出結果を得るために、UEから当該受信信号を検出する。次に、アップリンクチャネルの前記検出結果に基づいて、対応するアップリンクバースト中のミッドアンブルの長さ基準を決定する。次に、対応するアップリンクバースト中のトレーニングシーケンスの前記長さ基準に基づいて、予め定められたアップリンクタイムスロットを前記UEに割り当てる。そして、最後に、アップリンクバースト中の前記ミッドアンブルの長さ基準及び前記アップリンクタイムスロットを前記UEに通知する。
【００４２】
ダウンリンクバーストに関しては、まず、UEからのダウンリンクチャネル検出報告に基づいて、対応するダウンリンクバースト中のミッドアンブルの長さ基準を決定する。次に、前記ダウンリンクバースト中のミッドアンブルの長さ基準に基づいて、予め定められたダウンリンクタイムスロットを前記UEに割り当てる。最後に、ダウンリンクバースト中の前記ミッドアンブルの長さ基準及び割り当てられたダウンリンクタイムスロットを前記UEに通知する。
【００４３】
異なる送信機からのミッドアンブルとトラフィックデータとの間のUL及びDL干渉を防止するために、特別なミッドアンブルの無いタイムスロット（DL及びULの両方）をミッドアンブルのないデータバーストのために割り当てることができる。これらの特別なTS中は、ミッドアンブルが送信されないので、干渉が存在しない。
【００４４】
図4に示すように、ミッドアンブルの無いTSとして、一つのULタイムスロット（例えばTS3）及び一つのDLタイムスロット（例えばTS6）をそれぞれ割り当てることができる。良い送信環境中のUEは、ミッドアンブルを含むデータを送信/受信する場合は、通常のTSを占有し、ミッドアンブルを含まないデータを送信/受信する場合はTS3/TS6を使用する。
【００４５】
より多くのUEが良いチャネル品質を有しミッドアンブルの送信頻度が低い場合、より多くのミッドアンブルの無いTSがUTRAN (UMTS Terrestrial radio Access Network, UTMS: Universal Mobile Telecommunication System) によって割り当てられることができることに注意せよ。システム容量はミッドアンブルの無いTSの追加された数に伴って増加する。
【００４６】
発明によって提案されるアプローチによれば、少数のUEのみが一つのタイムスロットを占有する場合に関しては、送信データレートを増加するためにミッドアンブルの無いTSの数を調整するスキームによって干渉を低減することができる。
【００４７】
図3に示すように、同一のTS中に、UE1及びUE2がデータを送信し、他のUEがミッドアンブルを送信すると仮定すると、他のUEがチャネル推定を実行する際に、UE1及びUE2のデータは他のUEに対するノイズと見なすことができる。このノイズは2つのUEから来るだけであるので、チャネル特性を得る際に当該ノイズは他のUEにとって耐えうるものである。図3は、例として、2つのUEが本発明のスキームを使用する場合を説明している。このスキームを使用するUEの数は、QoS要求に従って、実用的に及び適切に増やす又は減らすことができる。
【００４８】
UE1及びUE2にとって、他のUEのミッドアンブルは同様に、データフィールドを検出する際にノイズと見なされる。文書「M.J.Juntti and B.AaZhang, "Finite Memory-Length Linear Multiuser Detection for Asynchronous CDMA Communications", IEEE Trans.Commu., Vol.45, no.5, May 1997,pp.611-622」が提案するように、6〜8個以上のシンボルがZF-BLE (zero-forced block linear equalizer)に最終的に伝達される場合には、マルチユーザ検出器の処理ウィンドウ内の（マルチパス及び非同期性に起因して発生する）干渉シンボルは検出結果にほとんど影響を与えない。したがって、ミッドアンブルの無いデータバーストを2つのグループ（各々のグループは８シンボル以上である）に適切に分割する場合、他のUEのミッドアンブルはマルチパス干渉と見なすことができる。ZF-BLEに上記データグループをそれぞれ伝達することによって、他のUEのUE1及びUE2上のミッドアンブルの干渉を無視することができる。
【００４９】
提案されるスキームについての全体の説明に関して以下に記述される。
【００５０】
図5Aは、本発明の実施の形態による、アップリンクTSバースト中のトレーニングシーケンススキームを示すフローチャートである。図5Bは、本発明の実施の形態による、ダウンリンクTSバースト中のトレーニングシーケンススキームを示すフローチャートである。
【００５１】
図6は、本発明による処理手段の構成を示し、ネットワーク側装置100'は、受信手段101'、測定手段102'、決定手段103'、及び送信手段104'を含む。移動端末UE100は、受信手段101、測定手段102、調整手段103、及び送信手段104を含む。
【００５２】
動作ステップ及び機能手段が、図5A、5B及び図6と連動して述べられる。ミッドアンブルの送信頻度が実際の無線伝送環境によって変動するので、ミッドアンブルの長さ基準のスキームに関連する信号伝達手順が必要である。従来のスキームと比較して、UE及びネットワーク側中の処理装置の構成は、新しいスキームにおいて変更されなければならない。
【００５３】
本発明の実施の形態によれば、受信手段101'はUE100から信号を受信し（図5A中のステップS0に対応）、測定手段102'はUE100からの受信信号を検出し、当該受信信号に対応するアップリンクチャネルの検出結果を得る（図5A中のS1の機能の実行）。決定手段103'は、送信長を変更するため、あるいはトレーニングシーケンスの前記長さが連続して使用されるタイムインターバルを変更するために、アップリンクチャネルの検出結果に基づいてアップリンクバースト中の対応するミッドアンブル、すなわちトレーニングシーケンスの長さ基準を決定する(図5A中のステップS2の機能の完了)。決定手段103'は、予め定められたアップリンクTSをUE100に割り当てる（図5A中のステップS3の実行）。送信手段104'は、アップリンクバースト中のミッドアンブルの送信頻度及びアップリンクTSをUE100に通知する（図5A中のステップS4の機能の実行）。
【００５４】
なお、本発明の更なる実施の形態によれば、無線通信システムのためのネットワーク側装置100'中で、受信手段101'がUE100からのダウンリンクチャネル検出報告を受信する(図5B中のステップS1Aの機能の実行)。決定手段103'は、ダウンリンクバースト中のミッドアンブルの長さ基準を変更するために、ミッドアンブル（すなわちトレーニングシーケンス）の長さ基準を決定する（図5B中のステップS2'の機能の実行）。決定手段103'は、ダウンリンクバースト中のミッドアンブルの長さ基準に基づいて、予め定められたダウンリンクTSをUE100に割り当てる（図5B中のステップS3'の機能の実行）。送信手段104'は、ダウンリンクバースト中のミッドアンブルの長さ基準及び前記ダウンリンクTSをUE100に通知する（図5A中のステップS4'の機能の実行）。
【００５５】
無線通信システムのための移動端末UE100は、受信手段101、調整手段103、測定手段102、及び送信手段104を含む。受信手段101はネットワーク側装置から通知を受信する（図5A及び図5B中のステップS4及びS4'の受信側の機能に対応）当該通知は前記ミッドアンブルの長さ基準及びTSの割り当てを含む。調整手段103は、受信した通知中のミッドアンブルの長さ基準及びTSの割り当てに基づいて、バーストを受信又は送信する(図5A及び図5B中のステップS5及びS5'の機能に対応)。測定手段102は、ダウンリンク検出報告を得るためにダウンリンクチャネルを検出する（図5B中のステップS1'の機能の実行）。送信手段104は検出報告をネットワーク側装置100'に送信する（図5B中のS1Aの対応する機能の実行）。
【００５６】
バースト中のトレーニングシーケンスの長さは、０及び通常の長さLを含む任意の決められた長さにすることができる。以下の説明は、例として、長さが０及びLの二者択一である場合（すなわちミッドアンブルの送信頻度）についてのみ取り上げる。
【００５７】
トレーニングシーケンスの長さ基準のセットは、ミッドアンブルの送信頻度を変更する。上記の特定の手段によれば、ミッドアンブルの送信頻度が変更され、いくつかのサブフレームがミッドアンブルを送信し、いくつかのサブフレームはミッドアンブルを送信しない。ミッドアンブルの送信周期が変更されているということもできる。ミッドアンブルを有するサブフレーム及びミッドアンブルの無いサブフレームがある。
【００５８】
アップリンクバースト及びダウンリンクバースト中のトレーニングシーケンスの長さ基準及び対応するTS資源が、検出結果に基づいてネットワーク側によって決定され、ダウンリンク上で移動端末に送信されることが図5A及び図5Bから分かる。基本的にダウンリンク及びアップリンクの特性はTDDシステム中で対称なので、アップリンクの測定結果がダウンリンクの測定結果にほぼ一致する。したがって、ネットワーク側装置100'は、ミッドアンブルの送信頻度を適宜決定するために、アップリンク中のミッドアンブルの長さ基準を決定することができる。
【００５９】
本発明をFDDモードに拡張することに関して以下に説明される。
【００６０】
FDDモード（例えばWCDMAでは、専用チャネルのチャネル推定が各々のトラフィックTSの「パイロット」部分によって実行される）において、「パイロット」部分は、TDDモードのミッドアンブルと同じ機能を有する。それで、本発明のアイデアは、FDDモードに適用されることができる。FDDにおけるアップリンク及びダウンリンクの異なるチャネル特性のために、UE100は測定手段102の測定結果に基づいて調整手段103を介してアップリンクのミッドアンブルの長さ基準を決定し、ネットワーク側装置100'は測定手段102'の測定結果に基づいて決定手段103'を介してダウンリンクのミッドアンブルの長さ基準を決定する。
【００６１】
本発明の趣旨及び範囲の中で、多くの変更又は修正を行うことができる。本発明は特定の実施の形態に限定されないことが理解されなければならない。本発明の範囲は特許請求の範囲によって規定される。
【図面の簡単な説明】
【００６２】
【図１】TD-SCDMAのサブフレーム構造を示す図。
【図２】TD-SCDMAのタイムスロット構造を示す図。
【図３】複数のユーザ装置が異なる長さのミッドアンブルを使用する場合のミッドアンブルとトラフィックデータとの間の干渉を示す図。
【図４】本発明の実施の形態による、データバースト中で長さが０のミッドアンブルを用いる（すなわちミッドアンブルが無い）ユーザ装置に割り当てられた特別なTSを示す図。
【図５Ａ】本発明の実施の形態による、アップリンクTSバースト中のトレーニングシーケンススキームを示すフローチャート。
【図５Ｂ】本発明の実施の形態による、ダウンリンクTSバースト中のトレーニングシーケンススキームを示すフローチャート。
【図６】本発明の実施の形態による、UE及びネットワークの機能手段の構成を示す図。
【図１】
2008529387.tif 000004
【図２】
2008529387.tif 000005
【図３】
2008529387.tif 000006
【図４】
2008529387.tif 000007
【図５Ａ】
2008529387.tif 000008
【図５Ｂ】
2008529387.tif 000009
【図６】
2008529387.tif 000010
【国際調査報告】
2008529387.tif 000011
2008529387.tif 000012
2008529387.tif 000013